(57)【特許請求の範囲】
【請求項１】
複数の第１の検出ラインと、
前記各第１の検出ラインと互いにねじれの位置に配置されている複数の第２の検出ラインと、
前記複数の第１の検出ラインの何れかに接続され、押圧されたときに接続されている前記第１の検出ラインに第１の検出信号を伝達させる複数の第１の座標検出部と、
前記複数の第２の検出ラインの何れかに接続され、押圧されたときに接続されている前記第２の検出ラインに第２の検出信号を伝達させる複数の第２の座標検出部と、
押圧されたことを検出して第３の検出信号を伝達させる複数の第３の座標検出部と、
押圧されたことを検出して第４の検出信号を伝達させる複数の第４の座標検出部と、
前記各第３の座標検出部と何れかの前記第１の検出ラインとの接続及び切断を切替える、第１のスイッチング素子と、
前記各第４の座標検出部と何れかの前記第２の検出ラインとの接続及び切断を切替える、第２のスイッチング素子と、
前記第１の検出信号及び前記第２の検出信号に基づいて前記押圧された領域を特定する押圧領域座標検出回路と、
を具備し、
前記第１の座標検出部及び前記第２の座標検出部が配置されている領域は、複数の区画に分割されており、
前記各第１の検出ラインには、１つの前記区画内に配置されている前記第１の座標検出部が接続されており、
前記各第２の検出ラインには、１つの前記区画内に配置されている前記第２の座標検出部が接続されている、
ことを特徴とするタッチパネル。
【請求項２】
前記複数の第１の検出ラインは互いに平行に配置されており、
前記複数の第２の検出ラインは互いに平行に配置されており、
前記各第１の検出ラインと前記各第２の検出ラインとの成す角は９０°であり、
前記区画の形状は矩形である、
ことを特徴とする請求項１に記載のタッチパネル。
【請求項３】
前記複数の第１の座標検出部と前記複数の第２の座標検出部とのうちの少なくとも一部の前記第１の座標検出部と前記第２の座標検出部とは対を為して互いに近接して配置されており、
前記複数の第３の座標検出部と前記複数の第４の座標検出部とのうちの少なくとも一部の前記第３の座標検出部と前記第４の座標検出部とは対を為して互いに近接して配置されている、
ことを特徴とする請求項１又は２に記載のタッチパネル。
【請求項４】
前記各第１の検出ラインは、接続された前記第１の座標検出部が配置されている前記区画内を通り、前記区画内で前記第１の座標検出部に接続されており、
前記各第２の検出ラインは、接続された前記第２の座標検出部が配置されている前記区画内を通り、前記区画内で前記第２の座標検出部に接続されている、
ことを特徴とする請求項１乃至３のうちの何れか１項に記載のタッチパネル。
【請求項５】
前記第１のスイッチング素子及び前記第２のスイッチング素子は、薄膜トランジスタであることを特徴とする請求項１乃至４のうちの何れか１項に記載のタッチパネル。
【請求項６】
液晶層を挟んで互いに対向する画素電極及び対向電極と、
複数の第１の検出ラインと、
前記各第１の検出ラインと互いにねじれの位置に配置されている複数の第２の検出ラインと、
前記対向電極と間隙を有して対向し、押圧されたときに前記対向電極と導通する、前記複数の第１の検出ラインの何れかに接続されている複数の第１の接点電極と、
前記対向電極と間隙を有して対向し、押圧されたときに前記対向電極と導通する、前記複数の第２の検出ラインの何れかに接続されている複数の第２の接点電極と、
前記対向電極と間隙を有して対向し、押圧されたときに前記対向電極と導通する、複数の第３の接点電極と、
前記対向電極と間隙を有して対向し、押圧されたときに前記対向電極と導通する、複数の第４の接点電極と、
前記各第３の接点電極と何れかの前記第１の検出ラインとの接続及び切断を切替える第１のスイッチング素子と、
前記各第４の接点電極と何れかの前記第２の検出ラインとの接続及び切断を切替える第２のスイッチング素子と、
前記第１の検出ライン及び前記第２の検出ラインの各電位に基づいて押圧された領域を特定する押圧領域座標検出回路と、
を具備し、
前記第１の接点電極及び前記第２の接点電極が配置されている領域は、複数の区画に分割されており、
前記各第１の検出ラインには、１つの前記区画内に配置されている前記第１の接点電極が接続されており、
前記各第２の検出ラインには、１つの前記区画内に配置されている前記第２の接点電極が接続されている、
ことを特徴とするタッチパネルを有する液晶表示素子。
【請求項７】
ソース端子に前記第１の検出ラインが接続されており、ゲート端子に前記画素電極に接続された表示用薄膜トランジスタのゲート端子に接続された走査線が接続されている第１の座標検出用薄膜トランジスタと、
ソース端子に前記第２の検出ラインが接続されており、ゲート端子に前記走査線が接続されている第２の座標検出用薄膜トランジスタと、
前記第１の座標検出用薄膜トランジスタのドレイン端子に共通接続されている第１の出力ラインと、
前記第２の座標検出用薄膜トランジスタのドレイン端子に共通接続されている第２の出力ラインと、
を更に具備し、
前記押圧領域座標検出回路は、前記第１の出力ラインの出力信号及び前記第２の出力ラインの出力信号に基づいて、押圧された領域を特定する、
ことを特徴とする請求項６に記載のタッチパネルを有する液晶表示素子。
【請求項８】
前記複数の第１の検出ラインは互いに平行に配置されており、
前記複数の第２の検出ラインは互いに平行に配置されており、
前記各第１の検出ラインと前記各第２の検出ラインとの成す角は９０°であり、
前記区画の形状は矩形である、
ことを特徴とする請求項６又は７に記載のタッチパネルを有する液晶表示素子。
【請求項９】
前記複数の第１の接点電極と前記複数の第２の接点電極とのうちの少なくとも一部の前記第１の接点電極と前記第２の接点電極とは対を為して互いに近接して配置されており、
前記複数の第３の接点電極と前記複数の第４の接点電極とのうちの少なくとも一部の前記第３の接点電極と前記第４の接点電極とは対を為して互いに近接して配置されている、
ことを特徴とする請求項６乃至８のうちの何れか１項に記載のタッチパネルを有する液晶表示素子。
【請求項１０】
前記各第１の検出ラインは、接続された前記第１の接点電極が配置されている前記区画内を通り、前記区画内で前記第１の接点電極に接続されており、
前記各第２の検出ラインは、接続された前記第２の接点電極が配置されている前記区画内を通り、前記区画内で前記第２の接点電極に接続されている、
ことを特徴とする請求項６乃至９のうちの何れか１項に記載のタッチパネルを有する液晶表示素子。
【請求項１１】
前記第１のスイッチング素子及び前記第２のスイッチング素子は、薄膜トランジスタであることを特徴とする請求項６乃至１０のうちの何れか１項に記載のタッチパネルを有する液晶表示素子。
【発明の詳細な説明】
【技術分野】
【０００１】
本発明は、タッチパネル及びそれを有する液晶表示素子に関する。
【背景技術】
【０００２】
一般に、タッチされたことに伴い信号を出力するセンシング機構を、マトリックス状に配置したタッチパネルが知られている。この様なタッチパネルのうち、行方向（Ｘ軸方向）に並ぶ複数の前記センシング機構に共通接続し、それらセンシング機構からの信号を取り出す複数の行方向延伸配線と、列方向（Ｙ軸方向）に並ぶ複数の前記センシング機構に共通接続し、それらセンシング機構からの信号を取り出す複数の列方向延伸配線とを有するタッチパネルがある。この様なタッチパネルに依れば、何れの行方向延伸配線から信号が出力されるかに基づいて、タッチされた位置のＹ座標ｙａを特定し、何れの列方向延伸配線から信号が出力されるかに基づいて、タッチされた位置のＸ座標ｘａを特定することができる。以上に依れば、当該タッチパネルは、タッチされた位置の座標（ｘａ，ｙａ）を検出できる。
【０００３】
上記の様なタッチパネルの一例が、例えば特許文献１に開示されている。特許文献１は、液晶表示素子内に、上記センシング機構、行方向延伸配線、及び列方向延伸配線等の構成を設けている、タッチパネルを備えた液晶表示素子に係る技術を開示している。
【先行技術文献】
【特許文献】
【０００４】
【特許文献１】特開２００７−９５０４４号公報
【発明の概要】
【発明が解決しようとする課題】
【０００５】
前記の様なタッチパネルにおいて、例えば２点がタッチされた場合を考える。この場合に、前記列方向延伸配線の出力に基づくと、タッチされた２点のＸ座標は例えばｘａとｘｂであり、前記行方向延伸配線の出力に基づくと、タッチされた２点のＹ座標は例えばｙａとｙｂであるとの情報が得られたとする。然し乍これら情報のみからでは、当該タッチパネルは、（ｘａ，ｙａ）と（ｘｂ，ｙｂ）がタッチされたのか、（ｘａ，ｙｂ）と（ｘｂ，ｙａ）がタッチされたのか、判別できない。
【０００６】
そこで本発明は、２点がタッチされた場合にもタッチ位置を判別できるタッチパネル及びそれを有する液晶表示素子を提供することを目的とする。
【課題を解決するための手段】
【０００７】
前記目的を果たすため、本発明のタッチパネルの一態様は、複数の第１の検出ラインと、前記各第１の検出ラインと互いにねじれの位置に配置されている複数の第２の検出ラインと、前記複数の第１の検出ラインの何れかに接続され、押圧されたときに接続されている前記第１の検出ラインに第１の検出信号を伝達させる複数の第１の座標検出部と、前記複数の第２の検出ラインの何れかに接続され、押圧されたときに接続されている前記第２の検出ラインに第２の検出信号を伝達させる複数の第２の座標検出部と、押圧されたことを検出して第３の検出信号を伝達させる複数の第３の座標検出部と、押圧されたことを検出して第４の検出信号を伝達させる複数の第４の座標検出部と、前記各第３の座標検出部と何れかの前記第１の検出ラインとの接続及び切断を切替える、第１のスイッチング素子と、前記各第４の座標検出部と何れかの前記第２の検出ラインとの接続及び切断を切替える、第２のスイッチング素子と、前記第１の検出信号及び前記第２の検出信号に基づいて前記押圧された領域を特定する押圧領域座標検出回路と、を具備し、前記第１の座標検出部及び前記第２の座標検出部が配置されている領域は、複数の区画に分割されており、前記各第１の検出ラインには、１つの前記区画内に配置されている前記第１の座標検出部が接続されており、前記各第２の検出ラインには、１つの前記区画内に配置されている前記第２の座標検出部が接続されている、ことを特徴とする。
【０００８】
また、前記目的を果たすため、本発明のタッチパネルを有する液晶表示素子の一態様は、液晶層を挟んで互いに対向する画素電極及び対向電極と、複数の第１の検出ラインと、前記各第１の検出ラインと互いにねじれの位置に配置されている複数の第２の検出ラインと、  前記対向電極と間隙を有して対向し、押圧されたときに前記対向電極と導通する、前記複数の第１の検出ラインの何れかに接続されている複数の第１の接点電極と、前記対向電極と間隙を有して対向し、押圧されたときに前記対向電極と導通する、前記複数の第２の検出ラインの何れかに接続されている複数の第２の接点電極と、前記対向電極と間隙を有して対向し、押圧されたときに前記対向電極と導通する、複数の第３の接点電極と、前記対向電極と間隙を有して対向し、押圧されたときに前記対向電極と導通する、複数の第４の接点電極と、前記各第３の接点電極と何れかの前記第１の検出ラインとの接続及び切断を切替える第１のスイッチング素子と、前記各第４の接点電極と何れかの前記第２の検出ラインとの接続及び切断を切替える第２のスイッチング素子と、前記第１の検出ライン及び前記第２の検出ラインの各電位に基づいて押圧された領域を特定する押圧領域座標検出回路と、を具備し、前記第１の接点電極及び前記第２の接点電極が配置されている領域は、複数の区画に分割されており、前記各第１の検出ラインには、１つの前記区画内に配置されている前記第１の接点電極が接続されており、前記各第２の検出ラインには、１つの前記区画内に配置されている前記第２の接点電極が接続されている、ことを特徴とする。
【発明の効果】
【０００９】
本発明によれば、２点がタッチされた場合にもタッチ位置を判別できるタッチパネル及びそれを有する液晶表示素子を提供できる。
【図面の簡単な説明】
【００１０】
【図１】本発明の第１の実施形態に係るタッチパネルの一部の概略を示す切断斜視図。
【図２】本発明の第１の実施形態に係るタッチパネルの各構成要素の配置の一例を示す概略図。
【図３】本発明の第１の実施形態に係るタッチパネルにおけるタッチ位置の検出を説明する為の図。
【図４】比較例に係るタッチパネルにおけるタッチ位置の検出を説明する為の図。
【図５】本発明の第１の実施形態に係るタッチパネルにおけるタッチ位置の検出を説明する為の図。
【図６】比較例に係るタッチパネルにおけるタッチ位置の検出を説明する為の図。
【図７】本発明の第１の実施形態の変形例に係るタッチパネルの各構成要素の配置の一例を示す概略図。
【図８】本発明の第１の実施形態の変形例に係るタッチパネルにおけるタッチ位置の検出を説明する為の図。
【図９】本発明の第２の実施形態に係るタッチパネルの各構成要素の配置の一例を示す概略図。
【図１０】本発明の第２の実施形態に係るタッチパネルにおけるタッチ位置の検出を説明する為の図。
【図１１】本発明の第２の実施形態に係るタッチパネルの各構成要素の配置の別の一例を示す概略図。
【図１２】本発明の第３の実施形態に係るタッチパネルの各構成要素の配置の一例を示す概略図。
【図１３】本発明の第４の実施形態に係るタッチパネルを有する液晶表示装置の構成例の概略を示す図。
【図１４】本発明の第４の実施形態に係るタッチパネルを有する液晶表示装置の後側基板の回路構成例の概略を示す図。
【図１５】本発明の第４の実施形態に係るタッチパネルを有する液晶表示装置のタッチパネルに係る回路構成例の概略を示す図。
【図１６】本発明の第４の実施形態に係るタッチパネルを有する液晶表示装置の各信号波形と位置検出を説明する為の図。
【発明を実施するための形態】
【００１１】
［第１の実施形態］
まず、本発明の第１の実施形態について図面を参照して説明する。図１に本実施形態に係るタッチパネルの一部を模式的に表す切断斜視図を示す。当該タッチパネルは、間隙を有して対向する一対の基板を有する。この一対の基板のうち、使用者によって押圧（タッチ）されて撓む側の基板を、前側基板１と称する。また、前側基板１と対向する基板を後側基板２と称する。
【００１２】
後側基板２の前側基板１と対向する面には、複数のＹ座標検出ライン４が互いに平行に配設されている。更に、各Ｙ座標検出ライン４と成す角を９０°とするねじれの位置に、複数のＸ座標検出ライン３が互いに平行に配設されている。本説明では、図１の左上に示す様に、Ｙ座標検出ライン４が延伸する方向をＸ軸方向と定義し、Ｘ軸方向の座標をＸ座標と定義する。また、Ｘ座標検出ライン３が延伸する方向をＹ軸方向と定義し、Ｙ軸方向の座標をＹ座標と定義する。
【００１３】
Ｘ座標検出ライン３とＹ座標検出ライン４とが交差する位置（以下、交差点と称する）に対応して、交差点の近傍には、Ｘ座標検出用接点電極５が配置されている。Ｘ座標検出用接点電極５は、前記対応する交差点を構成するＸ座標検出ライン３に接続されている。また、Ｘ座標検出用接点電極５が配置された交差点の近傍には、交差点に対応して、Ｙ座標検出用接点電極６が配置されている。Ｙ座標検出用接点電極６は、前記対応する交差点を構成するＹ座標検出ライン４に接続されている。ここで、各Ｘ座標検出ライン３は、複数のＸ座標検出用接点電極５と接続されており、各Ｙ座標検出ライン４は、複数のＹ座標検出用接点電極６と接続されている。但し、Ｘ座標検出用接点電極５とＹ座標検出用接点電極６は、Ｘ座標検出ライン３とＹ座標検出ライン４が交差する全ての交差点のうち、後に詳述する交差点に対応して配置されている。  
前側基板１の後側基板２と対向する面には、対向電極７が形成されている。ここで、Ｘ座標検出用接点電極５と対向電極７との間、及びＹ座標検出用接点電極６と対向電極７との間には、間隙が設けられている。
【００１４】
前側基板１が使用者によりタッチされて撓むと、そのタッチされた部分で、Ｘ座標検出用接点電極５と対向電極７とが電気的に導通する。その結果、対向電極７と導通したＸ座標検出用接点電極５、及びその接点電極と接続しているＸ座標検出ライン３の電位は、対向電極７の電位と等しくなる。同様に、前側基板１が使用者によりタッチされて撓むと、そのタッチされた部分で、Ｙ座標検出用接点電極６と対向電極７とが電気的に導通する。その結果、対向電極７と導通したＹ座標検出用接点電極６、及びその接点電極と接続しているＹ座標検出ライン４の電位は、対向電極７の電位と等しくなる。従って、図示しない座標検出用コントローラが、Ｘ座標検出ライン３の電位を計測し、その電位が対向電極７と等電位になっているＸ座標検出ライン３を同定することで、当該タッチパネルは、タッチされている領域のＸ座標を取得できる。同様に、座標検出用コントローラが、Ｙ座標検出ライン４の電位を計測し、その電位が対向電極７と等電位になっているＹ座標検出ライン４を同定することで、当該タッチパネルは、タッチされている領域のＹ座標を取得できる。
【００１５】
後側基板２上の構成について更に詳しく説明する。図２に、後側基板２上の構成の模式図を示す。図２において、Ｘ座標検出ライン３とＹ座標検出ライン４は、線で示されている。また図２において、Ｘ座標検出用接点電極５とＹ座標検出用接点電極６は、四角で示されている。ここでは簡単のため、Ｘ座標検出ライン３が１２本あり、Ｙ座標検出ライン４が２４本ある例を示して説明する。然し乍勿論、Ｘ座標検出ライン３とＹ座標検出ライン４の本数は、これに限らず何本でも良い。
【００１６】
説明のため、図２に示す通り右から左へ順に、各Ｘ座標検出ライン３に、Ｘ１乃至Ｘ１２と名称を付する。同様に、図２に示す通り上から下へ順に、各Ｙ座標検出ライン４に、Ｙ１乃至Ｙ２４と名称を付する。また本説明では、例えばＸ座標検出ラインＸ１とＹ座標検出ラインＹ１との交差点の座標を（ｘ１、ｙ１）、Ｘ座標検出ラインＸ３とＹ座標検出ラインＹ５との交差点の座標を（ｘ３、ｙ５）等と、Ｘ座標検出ラインＸ１乃至Ｘ１２と関連付けてＸ座標を表し、Ｙ座標検出ラインＹ１乃至Ｙ２４と関連付けてＹ座標を表すことにする。
【００１７】
本実施形態では、Ｘ座標検出用接点電極５とＹ座標検出用接点電極６とは、対を成して次に示す座標に配設されている。即ち、Ｘ座標検出用接点電極５とＹ座標検出用接点電極６とは、ｘａ＝ｘ１，ｘ３，ｘ５とし、ｙａ＝ｙ１，ｙ３，ｙ５，ｙ７，ｙ９，ｙ１１としたときに座標（ｘａ，ｙａ）で表される１８点の近傍に配設されている。これら座標（ｘａ，ｙａ）で表される１８点の近傍に配設されたＸ座標検出用接点電極５を、区画ＡのＸ座標検出用接点電極５ａと称する。また、これら１８点の近傍に配設されたＹ座標検出用接点電極６を、区画ＡのＹ座標検出用接点電極６ａと称する。更に、ｘａ＝ｘ１，ｘ３，ｘ５で表されるＸ座標検出ライン３を区画ＡのＸ座標検出ライン３ａと称する。また、ｙａ＝ｙ１，ｙ３，ｙ５，ｙ７，ｙ９，ｙ１１で表されるＹ座標検出ラインを、区画ＡのＹ座標検出ライン４ａと称する。
【００１８】
また、Ｘ座標検出用接点電極５とＹ座標検出用接点電極６とは、ｘｂ＝ｘ７，ｘ９，ｘ１１とし、ｙｂ＝ｙ２，ｙ４，ｙ６，ｙ８，ｙ１０，ｙ１２としたときに座標（ｘｂ，ｙｂ）で表される１８点の近傍にも配設されている。これら座標（ｘｂ，ｙｂ）で表される１８点の近傍に配設されたＸ座標検出用接点電極５を、区画ＢのＸ座標検出用接点電極５ｂと称し、これら１８点の近傍に配設されたＹ座標検出用接点電極６を、区画ＢのＹ座標検出用接点電極６ｂと称する。更に、ｘｂ＝ｘ７，ｘ９，ｘ１１で表されるＸ座標検出ライン３を区画ＢのＸ座標検出ライン３ｂと称する。また、ｙｂ＝ｙ２，ｙ４，ｙ６，ｙ８，ｙ１０，ｙ１２で表されるＹ座標検出ラインを、区画ＢのＹ座標検出ライン４ｂと称する。
【００１９】
また、Ｘ座標検出用接点電極５とＹ座標検出用接点電極６とは、ｘｃ＝ｘ２，ｘ４，ｘ６とし、ｙｃ＝ｙ１３，ｙ１５，ｙ１７，ｙ１９，ｙ２１，ｙ２３としたときに座標（ｘｃ，ｙｃ）で表される１８点の近傍にも配設されている。これら座標（ｘｃ，ｙｃ）で表される１８点の近傍に配設されたＸ座標検出用接点電極５を、区画ＣのＸ座標検出用接点電極５ｃと称し、これら１８点の近傍に配設されたＹ座標検出用接点電極６を、区画ＣのＹ座標検出用接点電極６ｃと称する。更に、ｘｃ＝ｘ２，ｘ４，ｘ６で表されるＸ座標検出ライン３を区画ＣのＸ座標検出ライン３ｃと称する。また、ｙｃ＝ｙ１３，ｙ１５，ｙ１７，ｙ１９，ｙ２１，ｙ２３で表されるＹ座標検出ラインを、区画ＣのＹ座標検出ライン４ｃと称する。
【００２０】
また、Ｘ座標検出用接点電極５とＹ座標検出用接点電極６とは、ｘｄ＝ｘ８，ｘ１０，ｘ１２とし、ｙｄ＝ｙ１４，ｙ１６，ｙ１８，ｙ２０，ｙ２２，ｙ２４としたときに座標（ｘｄ，ｙｄ）で表される１８点の近傍にも配設されている。これら座標（ｘｄ，ｙｄ）で表される１８点の近傍に配設されたＸ座標検出用接点電極５を、区画ＤのＸ座標検出用接点電極５ｄと称し、これら１８点の近傍に配設されたＹ座標検出用接点電極６を、区画ＤのＹ座標検出用接点電極６ｄと称する。更に、ｘｄ＝ｘ８，ｘ１０，ｘ１２で表されるＸ座標検出ライン３を区画ＤのＸ座標検出ライン３ｄと称する。また、ｙｄ＝ｙ１４，ｙ１６，ｙ１８，ｙ２０，ｙ２２，ｙ２４で表されるＹ座標検出ラインを、区画ＤのＹ座標検出ライン４ｄと称する。  
以上の通り、Ｘ座標検出用接点電極５とＹ座標検出用接点電極６は、合計７２箇所に対を為して配置されている。
【００２１】
Ｘ座標検出用接点電極５が設置されている位置も、Ｙ座標検出用接点電極６が設置されている位置も、厳密には座標（ｘａ，ｙａ）等ではないが、以降の説明では簡単のため、座標（ｘａ，ｙａ）の近傍を含めて、Ｘ座標検出用接点電極５が配設されている位置も、Ｙ座標検出用接点電極６が配設されている位置も、単に座標（ｘａ，ｙａ）と表すことにする。
【００２２】
ｍ，ｎを自然数としたときに、Ｘ座標がｘｍである位置に配置された各Ｘ座標検出用接点電極５は、Ｘｍで表されるＸ座標検出ライン３に接続している。同様に、Ｙ座標がｙｎである位置に配置された各Ｙ座標検出用接点電極６は、Ｙｎで表されるＹ座標検出ライン４に接続している。
【００２３】
上記の様なＸ座標検出用接点電極５とＹ座標検出用接点電極６との配置のパターンが、本実施形態の特徴の一つである。即ち、本実施形態では、Ｘ座標検出用接点電極５とＹ座標検出用接点電極６の配置は、図２中に破線で示す様に、当該タッチパネルを、Ｘ軸方向及びＹ軸方向にそれぞれ２分割し、４つの仮想区画に区切って考えられる配置がなされている。各Ｘ座標検出ライン３は、１つの仮想区画内に配設されたＸ座標検出用接点電極５と接続しており、各Ｙ座標検出ライン４は、１つの仮想区画内に配設されたＹ座標検出用接点電極６と接続している。即ち、各Ｘ座標検出ライン３と各Ｙ座標検出ライン４は、それぞれ１つの仮想区画内におけるタッチのみを検出できる様に構成されている。
【００２４】
例えば以下の通りである。Ｘ座標がｘ１乃至ｘ６であり、Ｙ座標がｙ１乃至ｙ１２である仮想区画を仮想区画Ａと称する。同様に、Ｘ座標がｘ７乃至ｘ１２であり、Ｙ座標がｙ１乃至ｙ１２である仮想区画を仮想区画Ｂと称する。Ｘ座標がｘ１乃至ｘ６であり、Ｙ座標がｙ１３乃至ｙ２４である仮想区画を仮想区画Ｃと称する。Ｘ座標がｘ７乃至ｘ１２であり、Ｙ座標がｙ１３乃至ｙ２４である仮想区画を仮想区画Ｄと称する。これら仮想区画の名称Ａ、Ｂ、Ｃ及びＤは図２に示されている。このとき、Ｘ１，Ｘ３又はＸ５で表される区画ＡのＸ座標検出ライン３ａは、仮想区画Ａに配置された区画ＡのＸ座標検出用接点電極５ａと接続されている。Ｘ７，Ｘ９又はＸ１１で表される区画ＢのＸ座標検出ライン３ｂは、仮想区画Ｂに配置された区画ＢのＸ座標検出用接点電極５ｂと接続されている。Ｘ２，Ｘ４又はＸ６で表される区画ＣのＸ座標検出ライン３ｃは、仮想区画Ｃに配置された区画ＣのＸ座標検出用接点電極５ｃと接続されている。Ｘ８，Ｘ１０又はＸ１２で表される区画ＤのＸ座標検出ライン３ｄは、仮想区画Ｄに配置された区画ＤのＸ座標検出用接点電極５ｄと接続されている。従って、区画ＡのＸ座標検出ライン３ａから出力される信号は、仮想区画Ａ内におけるタッチされた場所のＸ座標を表す。同様に、区画ＢのＸ座標検出ライン３ｂから出力される信号は、仮想区画Ｂ内におけるタッチされた場所のＸ座標を表し、区画ＣのＸ座標検出ライン３ｃから出力される信号は、仮想区画Ｃ内におけるタッチされた場所のＸ座標を表し、区画ＤのＸ座標検出ライン３ｄから出力される信号は、仮想区画Ｄ内におけるタッチされた場所のＸ座標を表す。
【００２５】
また同様に、Ｙ１，Ｙ３、Ｙ５，Ｙ７，Ｙ９又はＹ１１で表される区画ＢのＹ座標検出ライン４ａは、仮想区画Ａに配置された区画ＡのＹ座標検出用接点電極６ａと接続されている。Ｙ２，Ｙ４、Ｙ６，Ｙ８，Ｙ１０又はＹ１２で表される区画ＢのＹ座標検出ライン４ｂは、仮想区画Ｂに配置された区画ＢのＹ座標検出用接点電極６ｂと接続されている。Ｙ１３，Ｙ１５、Ｙ１７，Ｙ１９，Ｙ２１又はＹ２３で表される区画ＣのＹ座標検出ライン４ｃは、仮想区画Ｃに配置された区画ＣのＹ座標検出用接点電極６ｃと接続されている。Ｙ１４，Ｙ１６、Ｙ１８，Ｙ２０，Ｙ２２又はＹ２４で表される区画ＤのＹ座標検出ライン４ｄは、仮想区画Ｄに配置された区画ＤのＹ座標検出用接点電極６ｄと接続されている。従って、区画ＡのＹ座標検出ライン４ａから出力される信号は、仮想区画Ａ内におけるタッチされた場所のＹ座標を表す。同様に、区画ＢのＹ座標検出ライン４ｂから出力される信号は、仮想区画Ｂ内におけるタッチされた場所のＹ座標を表し、区画ＣのＹ座標検出ライン４ｃから出力される信号は、仮想区画Ｃ内におけるタッチされた場所のＹ座標を表し、区画ＤのＹ座標検出ライン４ｄから出力される信号は、仮想区画Ｄ内におけるタッチされた場所のＹ座標を表す。
【００２６】
この様に、例えば、Ｘ座標検出用接点電極５は、第１の座標検出部として機能し、例えばＹ座標検出用接点電極６は、第２の座標検出部として機能し、例えばＸ座標検出ライン３は、第１の検出ラインとして機能し、例えばＹ座標検出ライン４は、第２の検出ラインとして機能し、例えば図示しない座標検出用コントローラは、押圧領域座標検出回路として機能する。また、仮想区画Ａ，Ｂ，Ｃ及びＤは、第１及び第２の座標検出部が配置された領域を分割した複数の区画に相当する。
【００２７】
次に本実施形態の動作について説明する。図２に示した本実施形態に係るタッチパネルの２箇所がタッチされた場合を例に挙げて考える。例えば、図３に破線で示す四角形内がタッチされたとする。即ち、ｘｓ＝ｘ１，ｘ２，ｘ３とし、ｙｓ＝ｙ１，ｙ２，ｙ３としたときに、座標（ｘｓ，ｙｓ）で表される位置と、ｘｔ＝ｘ７，ｘ８，ｘ９とし、ｙｔ＝ｙ１８，ｙ１９，ｙ２０としたときに、座標（ｘｔ，ｙｔ）で表される位置との２群の箇所がタッチされたとする。このとき、図３中の黒く塗り潰したＸ座標検出用接点電極５が対向電極７と導通し、Ｙ座標検出用接点電極６が、対向電極７と導通する。即ち、ｘｕ＝ｘ１，ｘ３とし、ｙｕ＝ｙ１，ｙ３としたときに、座標（ｘｕ，ｙｕ）で表される位置にあるＸ座標検出用接点電極５が対向電極７と導通し、Ｙ座標検出用接点電極６が対向電極７と導通する。また、ｘｖ＝ｘ８とし、ｙｖ＝ｙ１８，ｙ２０としたときに、座標（ｘｖ，ｙｖ）で表される位置にあるＸ座標検出用接点電極５が対向電極７と導通し、Ｙ座標検出用接点電極６が、対向電極７と導通する。尚、Ｘ座標検出ライン３とＹ座標検出ライン４は十分に密に配置されているので、使用者が１箇所をタッチしているつもりでも、通常はこの例の様に、群を成す複数個のＸ座標検出用接点電極５が対向電極７と導通し、群を成す複数個のＹ座標検出用接点電極６が、対向電極７と導通する。
【００２８】
この場合、Ｘ座標検出ライン３の出力に注目すると、Ｘ座標検出ラインＸ１，Ｘ３及びＸ８の電位が、対向電極７の電位と等電位になる。また、Ｙ座標検出ライン４の出力に注目すると、Ｙ座標検出ラインＹ１，Ｙ３，Ｙ１８及びＹ２０の電位が、対向電極７の電位と等電位になる。
【００２９】
このＸ座標検出ライン３とＹ座標検出ライン４の電位を入力した図示しない座標検出用コントローラは、以下の様にタッチされた点を特定する。即ち、対向電極７の電位と等電位になるＸ座標検出ラインＸ１，Ｘ３及びＸ８、並びに、Ｙ座標検出ラインＹ１，Ｙ３，Ｙ１８及びＹ２０について、Ｘ座標検出ラインＸ１と交差するＹ座標検出ラインＹ１，Ｙ３，Ｙ１８及びＹ２０のうち、Ｘ座標検出用接点電極５とＹ座標検出用接点電極６が配置されているのは、座標（ｘ１，ｙ１）と座標（ｘ１，ｙ３）である。また、Ｘ座標検出ラインＸ３と交差するＹ座標検出ラインＹ１，Ｙ３，Ｙ１８及びＹ２０のうち、Ｘ座標検出用接点電極５とＹ座標検出用接点電極６が配置されているのは、座標（ｘ３，ｙ１）と座標（ｘ３，ｙ３）である。また、Ｘ座標検出ラインＸ８と交差するＹ座標検出ラインＹ１，Ｙ３，Ｙ１８及びＹ２０のうち、Ｘ座標検出用接点電極５とＹ座標検出用接点電極６が配置されているのは、座標（ｘ８，ｙ１８）と座標（ｘ８，ｙ２０）である。従って、以上の情報から当該座標検出用コントローラは、タッチされているのは座標（ｘｕ，ｙｕ）と座標（ｘｖ，ｙｖ）とで表される、座標（ｘ１，ｙ１）、（ｘ１，ｙ３）、（ｘ３，ｙ１）、及び（ｘ３，ｙ３）と、（ｘ８，ｙ１８）及び（ｘ８，ｙ２０）とであると特定する。
【００３０】
本実施形態の効果を、図４に示すＸ座標検出ラインＸ１乃至Ｘ１２及びＹ座標検出ラインＹ１乃至Ｙ２４の全ての交点に対応する位置に、Ｘ座標検出用接点電極５とＹ座標検出用接点電極６が配設されている場合（比較例）と比較して説明する。図３を参照して説明した場合と同じく、比較例において、図４に破線で示す四角形内、即ち座標（ｘｓ，ｙｓ）と座標（ｘｔ，ｙｔ）で表される部分がタッチされたとする。このとき、図４中に黒く塗り潰した、座標（ｘｓ，ｙｓ）と座標（ｘｔ，ｙｔ）で表される位置に配置された、Ｘ座標検出用接点電極５が対向電極７と導通し、Ｙ座標検出用接点電極６が対向電極７と導通する。その結果、Ｘ座標検出ラインＸ１，Ｘ２，Ｘ３，Ｘ７，Ｘ８及びＸ９が対向電極７の電位と等電位になり、Ｙ座標検出ラインＹ１，Ｙ２，Ｙ３，Ｙ１８，Ｙ１９及びＹ２０の電位が対向電極７の電位と等電位になる。
【００３１】
このとき座標検出用コントローラは、座標（ｘｓ，ｙｓ）と、（ｘｓ，ｙｔ）と、（ｘｔ，ｙｓ）と、（ｘｔ，ｙｔ）との４つの群を成す箇所（１群あたり９点有するので、計３６点）がタッチされたと判定する。つまり、実際にタッチされた座標（ｘｓ，ｙｓ）で表される９点と、座標（ｘｔ，ｙｔ）で表される９点のみならず、図４中のＸ座標検出用接点電極５とＹ座標検出用接点電極６に斜線を付した、座標（ｘｓ，ｙｔ）で表される９点と、座標（ｘｔ，ｙｓ）で表される９点もタッチされたと判定する。つまり座標検出用コントローラは、誤検出をする。
【００３２】
この様に、Ｘ軸方向及びＹ軸方向に対して斜め方向に離れて位置する２つの群を成す箇所がタッチされたとき、比較例では、座標検出用コントローラは、４つの群を成す箇所がタッチされたと誤検出する。これに対して、本実施形態に依れば、座標検出用コントローラは、タッチされた２つの群を成す箇所の位置を正しく検出することができる。
【００３３】
また図５に示す通り、座標（ｘ１，ｙ１）、（ｘ１，ｙ２）、（ｘ２，ｙ１）及び（ｘ２，ｙ２）、並びに、座標（ｘ８，ｙ２）、（ｘ８，ｙ３）、（ｘ９，ｙ２）及び（ｘ９，ｙ３）がタッチされたときを考える。このとき、本実施形態に依れば前記と同様に、座標（ｘ１，ｙ１）と座標（ｘ９，ｙ２）がタッチされたと判定される。一方、Ｘ座標検出ライン３とＹ座標検出ライン４の全ての交点に対応する位置にＸ座標検出用接点電極５とＹ座標検出用接点電極６が配置されている比較例では、図６に示す通り前記と同様に、座標（ｘ１，ｙ１）、（ｘ１，ｙ２）、（ｘ１，ｙ３）、（ｘ２，ｙ１）、（ｘ２，ｙ２）、及び（ｘ２，ｙ３）、並びに、座標（ｘ８，ｙ１）、（ｘ８，ｙ２）、（ｘ８，ｙ３）、（ｘ９，ｙ１）、（ｘ９，ｙ２）及び（ｘ９，ｙ３）がタッチされたと検出される。この様に、Ｘ軸方向に離れて位置する２つの群を成す箇所がタッチされたとき、本実施形態の場合も、比較例の場合も正しくタッチされた箇所が検出される。同様に、Ｙ軸方向に離れて位置する２つの群を成す箇所がタッチされたとき、本実施形態の場合も、比較例の場合も正しくタッチされた箇所が検出される。
【００３４】
尚、本実施形態に依れば、区画Ａ、区画Ｂ、区画Ｃ及び区画Ｄ内のそれぞれ１つの群を成す箇所がタッチされた場合、最大で４箇所のタッチ位置を検出することができる。  
以上の通り、本実施形態に依れば、Ｘ軸方向及びＹ軸方向に対して斜め方向に並ぶ２つの群を成す箇所が同時にタッチされた場合も、タッチされた位置を正しく検出することができる。
【００３５】
尚、タッチパネルの検知部分の構成は、本実施形態で示した、タッチされたときに接点電極が対向電極に導通するものに限らず、公知の静電容量方式、電磁誘導方式、又はその他の方式により構成されたタッチパネルを用いても良い事は勿論である。
【００３６】
［第１の実施形態の変形例］
次に、本発明の第１の実施形態の変形例について説明する。ここで本変形例の説明では、第１の実施形態との相違点に限定して説明し、同一の部分については同一の符号を付して、その説明は省略する。本変形例でも、第１の実施形態と同様に、各Ｘ座標検出ライン３は、１つの仮想区画内に配設されたＸ座標検出用接点電極５と接続しており、各Ｙ座標検出ライン４は、１つの仮想区画内に配設されたＹ座標検出用接点電極６と接続している。
【００３７】
例えば、Ｘ１，Ｘ３又はＸ５で表される区画ＡのＸ座標検出ライン３ａは、仮想区画Ａに配置された区画ＡのＸ座標検出用接点電極５ａと接続されている。Ｘ７，Ｘ９又はＸ１１で表される区画ＢのＸ座標検出ライン３ｂは、仮想区画Ｂに配置された区画ＢのＸ座標検出用接点電極５ｂと接続されている。Ｘ２，Ｘ４又はＸ６で表される区画ＣのＸ座標検出ライン３ｃは、仮想区画Ｃに配置された区画ＣのＸ座標検出用接点電極５ｃと接続されている。Ｘ８，Ｘ１０又はＸ１２で表される区画ＤのＸ座標検出ライン３ｄは、仮想区画Ｄに配置された区画ＤのＸ座標検出用接点電極５ｄと接続されている。Ｙ座標検出ライン４についても同様に、Ｙ１，Ｙ３、Ｙ５，Ｙ７，Ｙ９又はＹ１１で表される区画ＡのＹ座標検出ライン４ａは、仮想区画Ａに配置された区画ＡのＹ座標検出用接点電極６ａと接続されている。Ｙ２，Ｙ４、Ｙ６，Ｙ８，Ｙ１０又はＹ１２で表される区画ＢのＹ座標検出ライン４ｂは、仮想区画Ｂに配置された区画ＢのＹ座標検出用接点電極６ｂと接続されている。Ｙ１３，Ｙ１５、Ｙ１７，Ｙ１９，Ｙ２１又はＹ２３で表される区画ＣのＹ座標検出ライン４ｃは、仮想区画Ｃに配置された区画ＣのＹ座標検出用接点電極６ｃと接続されている。Ｙ１４，Ｙ１６、Ｙ１８，Ｙ２０，Ｙ２２又はＹ２４で表される区画ＤのＹ座標検出ライン４ｄは、仮想区画Ｄに配置された区画ＤのＹ座標検出用接点電極６ｄと接続されている。
【００３８】
本変形例では、図７に示す様に、上記の関係を維持しつつ、前記第１の実施形態よりもＸ座標検出用接点電極５とＹ座標検出用接点電極６の数を増加させている。即ち、例えば前記第１の実施形態では、座標（ｘ１、ｙ２）や座標（ｘ１、ｙ４）等にはＸ座標検出用接点電極５は配置されていない。これに対して本変形例では、例えば座標（ｘ１、ｙ２）や座標（ｘ１、ｙ４）等にも区画ＡのＸ座標検出用接点電極５ａが配置されている。そして、それら区画ＡのＸ座標検出用接点電極５ａは、それぞれ区画ＡのＸ座標検出ライン３ａと接続している。また同様に、例えば座標（ｘ２、ｙ１）や座標（ｘ４、ｙ１）等にも区画ＡのＹ座標検出用接点電極６ａが配置されている。そして、それら区画ＡのＹ座標検出用接点電極６ａは、それぞれ区画ＡのＹ座標検出ライン４ａに接続されている。
【００３９】
この様に例えば、Ｘ１，Ｘ３又はＸ５で表される区画ＡのＸ座標検出ライン３ａそれぞれと、仮想区画Ａ内を通るＹ座標検出ライン４との、全ての交点に対応する位置に、区画ＡのＸ座標検出用接点電極５ａは配置されている。また同様に例えば、Ｙ１，Ｙ３、Ｙ５，Ｙ７，Ｙ９又はＹ１１で表されるＹ座標検出ライン４ａそれぞれと、仮想区画Ａ内を通るＸ座標検出ライン３との、全ての交点に対応する位置に、区画ＡのＹ座標検出用接点電極６ａが配置されている。その他の部分についても同様に、区画ＢのＸ座標検出用接点電極５ｂが配置され、区画ＢのＸ座標検出用接点電極５ｂは、それぞれ区画ＢのＸ座標検出ライン３ｂと接続されている。また、区画ＣのＸ座標検出用接点電極５ｃが配置され、区画ＣのＸ座標検出用接点電極５ｃは、それぞれ区画ＣのＸ座標検出ライン３ｃと接続されている。また、区画ＤのＸ座標検出用接点電極５ｄが配置され、区画ＤのＸ座標検出用接点電極５ｄは、それぞれ区画ＤのＸ座標検出ライン３ｄと接続されている。また同様に、区画ＢのＹ座標検出用接点電極６ｂが配置され、区画ＢのＹ座標検出用接点電極６ｂは、それぞれ区画ＢのＹ座標検出ライン４ｂに接続されている。また、区画ＣのＹ座標検出用接点電極６ｃが配置され、区画ＣのＹ座標検出用接点電極６ｃは、それぞれ区画ＣのＹ座標検出ライン４ｃに接続されている。区画ＤのＹ座標検出用接点電極６ｄが配置され、区画ＤのＹ座標検出用接点電極６ｄは、それぞれ区画ＤのＹ座標検出ライン４ｄに接続されている。
【００４０】
本変形例に依っても、第１の実施形態と同様の効果が得られる。例えば、第１の実施形態の図３に相当する図８に示す様に、破線で示す四角形内がタッチされた場合を考える。即ち、座標（ｘｓ，ｙｓ）と座標（ｘｔ，ｙｔ）とで表される位置がタッチされた場合を考える。ここで、ｘｓ＝ｘ１，ｘ２，ｘ３であり、ｙｓ＝ｙ１，ｙ２，ｙ３であり、ｘｔ＝ｘ７，ｘ８，ｘ９であり、ｙｔ＝ｙ１８，ｙ１９，ｙ２０である。この場合、Ｘ座標検出ラインＸ１，Ｘ３及びＸ８の電位が、対向電極７の電位と等電位になり、また、Ｙ座標検出ラインＹ１，Ｙ３，Ｙ１８及びＹ２０の電位が、対向電極７の電位と等電位になる。従って、第１の実施形態の場合と同様に、座標検出用コントローラは、座標（ｘｕ，ｙｕ）と座標（ｘｖ，ｙｖ）とで表される箇所がタッチされていると判定できる。ここで、ｘｕ＝ｘ１，ｘ３であり、ｙｓ＝ｙ１，ｙ３であり、ｘｖ＝ｘ８であり、ｙｖ＝ｙ１８，ｙ２０である。
【００４１】
この様に、本変形例に依っても、Ｘ軸方向及びＹ軸方向に対して斜め方向に離れて位置する２つの群を成す箇所が同時にタッチされた場合も、タッチされた位置を正しく検出できる。本変形例は、前記第１の実施形態と比較して接点数が増加している分、Ｘ座標検出ライン３とＹ座標検出ライン４から出力される信号が安定するという効果を奏する。
【００４２】
［第２の実施形態］
次に、本発明の第２の実施形態について説明する。ここで本実施形態の説明では、前記第１の実施形態との相違点に限定して説明し、同一の部分については同一の符号を付して、その説明は省略する。第１の実施形態においては、当該タッチパネルは、４区画の仮想区画に区切られている。これに対して本実施形態では、当該タッチパネルは、１２区画の仮想区画に区切られている。
【００４３】
図９に示す通り、本実施形態において、Ｘ座標検出用接点電極５とＹ座標検出用接点電極６は、座標（ｘ１，ｙ１）、（ｘ１，ｙ５）、（ｘ４，ｙ２）、（ｘ４，ｙ６）、（ｘ７，ｙ７）、（ｘ１０，ｙ４）、（ｘ１０，ｙ８）、（ｘ２，ｙ９）、（ｘ２，ｙ１３）、（ｘ５，ｙ１０）、（ｘ５，ｙ１４）、（ｘ８，ｙ１１）、（ｘ８，ｙ１５）、（ｘ１１，ｙ１２）、（ｘ１１，ｙ１６）、（ｘ３，ｙ１７）、（ｘ３，ｙ２１）、（ｘ６，ｙ１８）、（ｘ６，ｙ２２）、（ｘ９，ｙ１９）、（ｘ９，ｙ２３）、（ｘ１２，ｙ２０）、及び（ｘ１２，ｙ２４）に配置されている。そして、ｍ，ｎを自然数としたときに、Ｘ座標がｘｍである位置に配置された各Ｘ座標検出用接点電極５は、Ｘｍで表されるＸ座標検出ライン３に接続している。同様に、Ｙ座標がｙｎである位置に配置された各Ｙ座標検出用接点電極６は、Ｙｎで表されるＹ座標検出ライン４に接続している。
【００４４】
従って、以下の通りである。Ｙ座標検出ラインＹ１乃至Ｙ８と、Ｘ座標検出ラインＸ１乃至Ｘ３とが交差する仮想区画を仮想区画Ａとし、Ｙ座標検出ラインＹ１乃至Ｙ８と、Ｘ座標検出ラインＸ４乃至Ｘ６とが交差する仮想区画を仮想区画Ｂとし、Ｙ座標検出ラインＹ１乃至Ｙ８と、Ｘ座標検出ラインＸ７乃至Ｘ９とが交差する仮想区画を仮想区画Ｃとし、Ｙ座標検出ラインＹ１乃至Ｙ８と、Ｘ座標検出ラインＸ１０乃至Ｘ１２とが交差する仮想区画を仮想区画Ｄとする。同様に、Ｙ座標検出ラインＹ９乃至Ｙ１６と、Ｘ座標検出ラインＸ１乃至Ｘ３とが交差する仮想区画を仮想区画Ｅとし、Ｙ座標検出ラインＹ９乃至Ｙ１６と、Ｘ座標検出ラインＸ４乃至Ｘ６とが交差する仮想区画を仮想区画Ｆとし、Ｙ座標検出ラインＹ９乃至Ｙ１６と、Ｘ座標検出ラインＸ７乃至Ｘ９とが交差する仮想区画を仮想区画Ｇとし、Ｙ座標検出ラインＹ９乃至Ｙ１６と、Ｘ座標検出ラインＸ１０乃至Ｘ１２とが交差する仮想区画を仮想区画Ｈとする。同様に、Ｙ座標検出ラインＹ１７乃至Ｙ２４と、Ｘ座標検出ラインＸ１乃至Ｘ３とが交差する仮想区画を仮想区画Ｉとし、Ｙ座標検出ラインＹ１７乃至Ｙ２４と、Ｘ座標検出ラインＸ４乃至Ｘ６とが交差する仮想区画を仮想区画Ｊとし、Ｙ座標検出ラインＹ１７乃至Ｙ２４と、Ｘ座標検出ラインＸ７乃至Ｘ９とが交差する仮想区画を仮想区画Ｋとし、Ｙ座標検出ラインＹ１７乃至Ｙ２４と、Ｘ座標検出ラインＸ１０乃至Ｘ１２とが交差する仮想区画を仮想区画Ｌとする。
【００４５】
本実施形態では、Ｘ１で表される区画ＡのＸ座標検出ライン３ａは仮想区画Ａに配置された区画ＡのＸ座標検出用接点電極５ａと接続している。以下同様に、Ｘ２で表される区画ＡのＸ座標検出ライン３ｅは仮想区画Ｅに配置された区画ＥのＸ座標検出用接点電極５ｅと、Ｘ３で表される区画ＡのＸ座標検出ライン３ｉは仮想区画Ｉに配置された区画ＩのＸ座標検出用接点電極５ｉと、Ｘ４で表される区画ＡのＸ座標検出ライン３ｂは仮想区画Ｂに配置された区画ＢのＸ座標検出用接点電極５ｂと、Ｘ５で表される区画ＡのＸ座標検出ライン３ｆは仮想区画Ｆに配置された区画ＦのＸ座標検出用接点電極５ｆと、Ｘ６で表される区画ＡのＸ座標検出ライン３ｊは仮想区画Ｊに配置された区画ＪのＸ座標検出用接点電極５ｊと、Ｘ７で表される区画ＡのＸ座標検出ライン３ｃは仮想区画Ｃに配置された区画ＣのＸ座標検出用接点電極５ｃと、Ｘ８で表される区画ＡのＸ座標検出ライン３ｇは仮想区画Ｇに配置された区画ＧのＸ座標検出用接点電極５ｇと、Ｘ９で表される区画ＡのＸ座標検出ライン３ｋは仮想区画Ｋに配置された区画ＫのＸ座標検出用接点電極５ｋと、Ｘ１０で表される区画ＡのＸ座標検出ライン３ｄは仮想区画Ｄに配置された区画ＤのＸ座標検出用接点電極５ｄと、Ｘ１１で表される区画ＡのＸ座標検出ライン３ｈは仮想区画Ｈに配置された区画ＨのＸ座標検出用接点電極５ｈと、Ｘ１２で表される区画ＡのＸ座標検出ライン３ｌは仮想区画Ｌに配置された区画ＬのＸ座標検出用接点電極５ｌと、それぞれ接続している。
【００４６】
また、Ｙ１又はＹ５で表される区画ＡのＹ座標検出ライン４ａは仮想区画Ａに配置された区画ＡのＹ座標検出用接点電極６ａと接続している。以下同様に、Ｙ２又はＹ６で表される区画ＢのＹ座標検出ライン４ｂは仮想区画Ｂに配置された区画ＢのＹ座標検出用接点電極６ｂと、Ｙ３又はＹ７で表される区画ＣのＹ座標検出ライン４ｃは仮想区画Ｃに配置された区画ＣのＹ座標検出用接点電極６ｃと、Ｙ４又はＹ８で表される区画ＤのＹ座標検出ライン４ｄは仮想区画Ｄに配置された区画ＤのＹ座標検出用接点電極６ｄと、Ｙ９又はＹ１３で表される区画ＥのＹ座標検出ライン４ｅは仮想区画Ｅに配置された区画ＥのＹ座標検出用接点電極６ｅと、Ｙ１０又はＹ１４で表される区画ＦのＹ座標検出ライン４ｆは仮想区画Ｆに配置された区画ＦのＹ座標検出用接点電極６ｆと、Ｙ１１又はＹ１５で表される区画ＧのＹ座標検出ライン４ｇは仮想区画Ｇに配置された区画ＧのＹ座標検出用接点電極６ｇと、Ｙ１２又はＹ１６で表される区画ＨのＹ座標検出ライン４ｈは仮想区画Ｈに配置された区画ＨのＹ座標検出用接点電極６ｈと、Ｙ１７又はＹ２１で表される区画ＩのＹ座標検出ライン４ｉは仮想区画Ｉに配置された区画ＩのＹ座標検出用接点電極６ｉと、Ｙ１８又はＹ２２で表される区画ＪのＹ座標検出ライン４ｊは仮想区画Ｊに配置された区画ＪのＹ座標検出用接点電極６ｊと、Ｙ１９又はＹ２３で表される区画ＫのＹ座標検出ライン４ｋは仮想区画Ｋに配置された区画ＫのＹ座標検出用接点電極６ｋと、Ｙ２０又はＹ２４で表される区画ＬのＹ座標検出ライン４ｌは仮想区画Ｌに配置された区画ＬのＹ座標検出用接点電極６ｌと、それぞれ接続している。
【００４７】
本実施形態における動作を説明する。例えば、第１の実施形態の図３に相当する図１０に示す様に、破線で示す四角形内がタッチされた場合を考える。即ち、座標（ｘｓ，ｙｓ）と座標（ｘｔ，ｙｔ）で表される位置がタッチされた場合を考える。ここで、ｘｓ＝ｘ１，ｘ２，ｘ３であり、ｙｓ＝ｙ１，ｙ２，ｙ３であり、ｘｔ＝ｘ７，ｘ８，ｘ９であり、ｙｔ＝ｙ１８，ｙ１９，ｙ２０である。この場合、図１０中で黒く塗り潰した、座標（ｘ１，ｙ１）と座標（Ｘ９，ｙ１９）に配置された、Ｘ座標検出用接点電極５が対向電極７と導通し、Ｙ座標検出用接点電極６が対向電極７と導通する。このとき、Ｘ座標検出ライン３の電位に注目すると、Ｘ座標検出ラインＸ１及びＸ９が対向電極７の電位と等電位になり、Ｙ座標検出ライン４の電位に注目すると、Ｙ座標検出ラインＹ１及びＹ１９の電位が対向電極７の電位と等電位になる。これらの電位信号を入力した座標検出用コントローラは、第１の実施形態の場合と同様に、座標（ｘ１、ｙ１）と座標（ｘ９、ｙ１９）がタッチされたと判定できる。
【００４８】
本実施形態に依れば、Ｘ軸方向及びＹ軸方向に対して斜め方向に離れて位置する２つの群を成す箇所が同時にタッチされた場合も、タッチされた位置を正しく検出することができる。そして、１２区画の仮想区画内のそれぞれ１２の群を成す箇所がタッチされた場合、最大で１２の群を成す箇所のタッチ位置を、正しく検出することができる。
【００４９】
また、第１の実施形態の変形例と同様に、前記した各仮想区画と、各Ｘ座標検出ライン３が接続するＸ座標検出用接点電極５との配置の関係を維持したまま、また、各仮想区画と、各Ｙ座標検出ライン４が接続するＹ座標検出用接点電極６との配置の関係とを維持したまま、Ｘ座標検出用接点電極５とＹ座標検出用接点電極６の数を増加させることもできる。例えば、Ｘ座標検出用接点電極５とＹ座標検出用接点電極６を図１１に示す様に配置しても良い。本変形例も、第１の実施形態の変形例と同様に、第２の実施形態と比較して接点数が増加している分、Ｘ座標検出ライン３とＹ座標検出ライン４から出力される信号が安定するという効果を奏する。
【００５０】
各Ｘ座標検出ライン３に接続するＸ座標検出用接点電極５の配置と、Ｙ座標検出ライン４に接続するＹ座標検出用接点電極６の配置とを考えるにあたって、第１の実施形態では４つの仮想区画に区切り、第２の実施形態では１２の仮想区画に区切っている。然し乍、この仮想区画の数は、４区画や１２区画に限らず、いくつでも良い。また、仮想区画を区切るにあたって、前記実施形態の様に、Ｘ座標検出ライン３又はＹ座標検出ライン４と平行に区切らなくとも良く、斜めに区切っても、曲線で区切っても良い。また、各仮想区画の面積は、それぞれ異なっていても良い。但し、各Ｘ座標検出ライン３は、１つの仮想区画内に配置されたＸ座標検出用接点電極５と接続し、各Ｙ座標検出ライン４は、１つの仮想区画内に配置されたＹ座標検出用接点電極６と接続している。この場合も前記第１の実施形態、又は第２の実施形態と同様の効果が得られる。
【００５１】
［第３の実施形態］
次に、本発明の第３の実施形態について説明する。ここで本実施形態の説明では、第１の実施形態との相違点に限定して説明し、同一の部分については同一の符号を付して、その説明は省略する。例えば図４に示した比較例のタッチパネルの様に、Ｘ座標検出ライン３とＹ座標検出ライン４の全ての交点に対応する位置の近傍に、Ｘ座標検出用接点電極５とＹ座標検出用接点電極６が配置されている比較例の場合と比べると、第１の実施形態に係るタッチパネルは、次の特徴がある。即ち、第１の実施形態に係るタッチパネルは、複数のタッチ位置を正確に検出できる。一方で、接点電極数が削減されているため、第１の実施形態に係るタッチパネルは、前記比較例に係るタッチパネルに比べて検出分解能が劣る。
【００５２】
これに対して、本実施形態に係るタッチパネルは、第１の実施形態に係るタッチパネルと前記比較例に係るタッチパネルとの長所を兼ね備える。即ち、Ｘ座標検出ライン３とＹ座標検出ライン４の全ての交点に対応する位置の近傍に、Ｘ座標検出用接点電極５とＹ座標検出用接点電極６を配置し、１箇所（１つの群を成す箇所）のみのタッチを検出するシングルタッチモードと、複数箇所（複数の群を成す箇所）のタッチを検出するマルチタッチモードとで、使用するＸ座標検出用接点電極５とＹ座標検出用接点電極６を切替える構成とする。
【００５３】
本実施形態に係る後側基板２上の構成の模式図を図１２に示す。本実施形態において、Ｘ座標検出ライン３とＹ座標検出ライン４は、第１の実施形態と同様に配置されている。そして、第１の実施形態においてＸ座標検出用接点電極５とＹ座標検出用接点電極６が配置されている位置に、第１のＸ座標検出用接点電極５１及び第１のＹ座標検出用接点電極６１が配置されている。即ち、第１のＸ座標検出用接点電極５１及び第１のＹ座標検出用接点電極６１は、ｘａ＝ｘ１，ｘ３，ｘ５とし、ｙａ＝ｙ１，ｙ３，ｙ５，ｙ７，ｙ９，ｙ１１としたときに、座標（ｘａ，ｙａ）で表される１８点と、ｘｂ＝ｘ７，ｘ９，ｘ１１とし、ｙｂ＝ｙ２，ｙ４，ｙ６，ｙ８，ｙ１０，ｙ１２としたときに、座標（ｘｂ，ｙｂ）で表される１８点と、ｘｃ＝ｘ２，ｘ４，ｘ６とし、ｙｃ＝ｙ１３，ｙ１５，ｙ１７，ｙ１９，ｙ２１，ｙ２３としたときに、座標（ｘｃ，ｙｃ）で表される１８点と、ｘｄ＝ｘ８，ｘ１０，ｘ１２とし、ｙｄ＝ｙ１４，ｙ１６，ｙ１８，ｙ２０，ｙ２２，ｙ２４としたときに、座標（ｘｄ，ｙｄ）で表される１８点とに配置されている。ここで第１のＸ座標検出用接点電極５１と第１のＹ座標検出用接点電極６１そのものの構成は、Ｘ座標検出用接点電極５とＹ座標検出用接点電極６の構成と同じである。
【００５４】
そして、ｍ，ｎを自然数としたときに、Ｘ座標がｘｍである位置に配置された各第１のＸ座標検出用接点電極５１は、Ｘｍで表されるＸ座標検出ライン３に接続されている。同様に、Ｙ座標がｙｎである位置に配置された各第１のＹ座標検出用接点電極６１は、Ｙｎで表されるＹ座標検出ライン４に接続されている。
【００５５】
一方、Ｘ座標検出ライン３とＹ座標検出ライン４の交点に対応する位置の近傍であり、第１のＸ座標検出用接点電極５１と第１のＹ座標検出用接点電極６１が配置されていない位置には、第２のＸ座標検出用接点電極５２と第２のＹ座標検出用接点電極６２が配置されている。第２のＸ座標検出用接点電極５２と第２のＹ座標検出用接点電極６２そのものの構成は、第１のＸ座標検出用接点電極５１と第１のＹ座標検出用接点電極６１の構成と同じである。但し、この各第２のＸ座標検出用接点電極５ｂは、スイッチング素子としての薄膜トランジスタ８（以下モード切替ＴＦＴ８と称する）を介して、それぞれＸ座標検出ライン３に接続されており、第２のＹ座標検出用接点電極６ｂも、切替ＴＦＴ８を介して、それぞれＹ座標検出ライン４に接続されている。ここで、第２のＸ座標検出用接点電極５２又は第２のＹ座標検出用接点電極６２は、モード切替ＴＦＴ８のソース端子に接続されており、Ｘ座標検出ライン３又はＹ座標検出ライン４は、モード切替ＴＦＴ８のドレイン端子に接続されている。また、各モード切替ＴＦＴ８のゲート端子には、モード切替ライン９が接続されている。モード切替ライン９には、モード切替信号が入力される。
【００５６】
この様に、例えば第１のＸ座標検出用接点電極５１は、第１の座標検出部として機能し、例えば第１のＹ座標検出用接点電極６１は、第２の座標検出部として機能し、例えば第２のＸ座標検出用接点電極５２は、第３の座標検出部として機能し、例えば第２のＹ座標検出用接点電極６２は、第４の座標検出部として機能し、例えばＸ座標検出ライン３は、第１の検出ラインとして機能し、例えばＹ座標検出ライン４は、第２の検出ラインとして機能し、例えばモード切替ＴＦＴ８は、第１のスイッチング素子及び第２のスイッチング素子として機能する。
【００５７】
次に、本実施形態に係るタッチパネルの動作を説明する。複数の群を成す箇所のタッチを検出するマルチタッチモードでは、モード切替ライン９に入力するモード切替信号をローレベルにする。このとき、モード切替ＴＦＴ８はＯＦＦ状態となる。その結果、第２のＸ座標検出用接点電極５２とＸ座標検出ライン３とは電気的に切断され、第２のＹ座標検出用接点電極６２とＹ座標検出ライン４とは電気的に切断される。従ってマルチタッチモードでは、第１のＸ座標検出用接点電極５１は、Ｘ座標検出ライン３に電気的に接続しており、一方で第２のＸ座標検出用接点電極５２は、Ｘ座標検出ライン３に電気的に接続していない。同様にマルチタッチモードでは、第１のＹ座標検出用接点電極６１は、Ｙ座標検出ライン４に電気的に接続しており、一方で第２のＹ座標検出用接点電極６２は、Ｙ座標検出ライン４に電気的に接続していない。以上のことからマルチタッチモードでは、当該タッチパネルは、第１の実施形態と同様に機能する。
【００５８】
一方、１つの群を成す箇所のタッチを検出するシングルタッチモードでは、モード切替ライン９に入力するモード切替信号をハイレベルにする。このとき、モード切替ＴＦＴ８はＯＮ状態となる。その結果、第２のＸ座標検出用接点電極５ｂは、Ｘ座標検出ライン３と電気的に接続し、第２のＹ座標検出用接点電極６ｂは、Ｙ座標検出ライン４と電気的に接続する。従ってシングルタッチモードでは、Ｘ座標検出ライン３には、第１のＸ座標検出用接点電極５１、及び第２のＸ座標検出用接点電極５２が電気的に接続する。同様に、Ｙ座標検出ライン４には、第１のＹ座標検出用接点電極６１、及び第２のＹ座標検出用接点電極６２が電気的に接続する。
【００５９】
以上のことからシングルタッチモードでは、当該タッチパネルは、Ｘ座標検出ライン３とＹ座標検出ライン４の全ての交点に対応する位置の近傍に、タッチを検出するためのＸ座標検出用接点電極５とＹ座標検出用接点電極６が配置されている状態になる。即ち、シングルタッチモードでは、先に説明したモード切替ＴＦＴ８がＯＦＦ状態のマルチタッチモードのときと比較して、タッチ位置の検出の分解能が向上する。
【００６０】
本実施形態に依れば、当該タッチパネルを以下の様に使用できる。例えば、表示装置に表示した画像の複数箇所を選択する必要があるとき等、複数箇所の検出が必要となる状況では、モード切替ＴＦＴ８をＯＦＦ状態にする。このモード切替ＴＦＴ８がＯＦＦ状態のマルチタッチモードでは、分解能は犠牲になるものの複数群のタッチを正確に検出できる。一方で、例えば手書き文字入力等、一群のタッチされた位置が検出されればよいが、検出位置の分解能が必要な状況では、モード切替ＴＦＴ８をＯＮ状態にする。このモード切替ＴＦＴ８がＯＮ状態のシングルタッチモードでは、マルチタッチモードと比較して分解能が向上する。  
以上の通り本実施形態に依れば、当該タッチパネルは、複数の群を成す箇所のタッチ位置を検出する正確さと、１つの群を成す箇所のタッチ位置を検出する分解能とを、使用状況に応じて選択できる。
【００６１】
尚、本実施形態の説明では、第１のＸ座標検出用接点電極５１と第１のＹ座標検出用接点電極６１の配置は、第１の実施形態と同じと説明したが、勿論第２の実施形態と同様に配置しても良いし、それらの変形例と同様に配置しても良い。各Ｘ座標検出ライン３は、１つの仮想区画内に配置された第１のＸ座標検出用接点電極５１と接続し、各Ｙ座標検出ライン４は、１つの仮想区画内に配置された第１のＹ座標検出用接点電極６１と接続しているという関係を維持していればその他の配置としても、同様である。
【００６２】
［第４の実施形態］
次に、本発明の第４の実施形態について説明する。ここで本実施形態の説明では、第１の実施形態との相違点に限定して説明し、同一の部分については同一の符号を付して、その説明は省略する。本実施形態は、第１の実施形態に係るタッチパネルを、液晶表示装置内に構築した実施形態である。
【００６３】
本実施形態に係る液晶表示装置の概略を図１３に示す。本液晶表示装置は、タッチパネル機能を有する液晶表示パネル１００と、ドライバ素子１３０と、コモン信号発生回路１３３と、表示用コントローラ１３４と、座標検出用コントローラ１３６と、メインコントローラ１３８とを有する。
【００６４】
液晶表示パネル１００は、薄膜トランジスタ（ＴＦＴ）をアクティブ素子としたアクティブマトリックス型の液晶表示パネルである。ここでは、本実施形態に係る液晶表示装置は、水平方向に２４０画素、垂直方向に３２０画素を有する縦置きのＱＶＧＡ（以下、ＱＶＧＡポートレートと称する）の表示パネルである。液晶表示パネル１００は、液晶層を挟んで互いに対向する後側基板１０２と前側基板１０１とを有する。図示しないバックライトから出射した光は、液晶表示パネル１００を後側基板１０２から前側基板１０１に向けて透過し、使用者に到達する。本実施形態の説明では、前側基板１０１側を観察側、後側基板１０２側をバックライト側と定義する。
【００６５】
後側基板１０２の観察側の面の画面エリア１２０内の領域には、複数の透明な画素電極１２５が形成されている。例えば画素電極１２５は、図１４に示す様に、行方向（水平方向；Ｘ軸方向）及び列方向（垂直方向；Ｙ軸方向）に配列されている。各画素電極１２５は、行方向の電極幅が列方向の電極長さよりも小さい、縦長の矩形形状を有している。各画素電極１２５は、スイッチング素子として働く表示用薄膜トランジスタ（表示用ＴＦＴ）１２６のドレイン端子にそれぞれ接続されている。各表示用ＴＦＴ１２６は、前記縦長の矩形形状を有する各画素電極１２５の、一隅角（例えば図１４における左下隅）に配置されている。
【００６６】
また、後側基板１０２の観察側の面には、各画素電極１２５の行方向に沿って、行毎に走査線１２３が形成されている。各行の走査線１２３は、画素電極１２５の表示用ＴＦＴ１２６が配置された側の端（図１４において各画素電極１２５の下端側）に沿わせて設けられており、当該走査線１２３に沿って配置された表示用ＴＦＴ１２６の各ゲート端子に接続されている。
【００６７】
更に、後側基板１０２の観察側の面には、各画素電極１２５の列方向に沿って、列毎に信号線１２４が形成されている。各列の信号線１２４は、画素電極１２５の表示用ＴＦＴ１２６が配置された側の端（図１４において各画素電極１２５の左端側）に沿わせて設けられており、当該信号線１２４に沿って配置された表示用ＴＦＴ１２６の各ソース端子に接続されている。
【００６８】
また、後側基板１０２の一端部を前側基板１０１の外方に張り出して形成されたドライバ搭載部１０２ａには、ドライバ素子１３０が、図１３に示す様に搭載されている。このドライバ素子１３０は、図１４に示す様に、走査ドライバ１３１とデータドライバ１３２とが形成された、ＬＳＩ（Ｌａｒｇｅ  Ｓｃａｌｅ  Ｉｎｔｅｇｒａｔｅｄ  Ｃｉｒｃｕｉｔ；大規模集積回路）からなる。各走査線１２３は、ドライバ搭載部１０２ａに導出されて（図示せず）、走査ドライバ１３１の各出力端子に接続されており、各信号線１２４は、同様にドライバ搭載部１０２ａに導出されて（図示せず）、データドライバ１３２の各出力端子に接続されている。
【００６９】
前側基板１０１のバックライト側には、複数の画素電極１２５と対向する一枚膜状の透明な対向電極１０７が形成されている。対向電極１０７は、コモン信号発生回路１３３に接続されており、対向電極１０７の電位は、コモン信号発生回路１３３により制御される。
【００７０】
本液晶表示パネル１００は、第１の実施形態に係るタッチパネルが組み込まれている。ここで、後側基板１０２は、後側基板２に相当し、前側基板１０１は、前側基板１に相当し、対向電極１０７は、対向電極７に相当する。後側基板１０２の観察側には、例えば図１４に示す様に、Ｘ軸方向に並ぶ３つの画素電極１２５毎に、垂直方向にＸ座標検出ライン３が配設されている。即ち、赤、緑及び青の３色からなる１画素毎に、１本のＸ座標検出ライン３が配設されている。また、Ｙ軸方向に並ぶ１つの画素電極１２５毎に、水平方向にＹ座標検出ライン４が配設されている。
【００７１】
この各Ｘ座標検出ライン３は、図１４に示す様に、列方向に配列した各画素電極１２５と、当該画素電極１２５と隣り合う列の各画素電極１２５に接続された表示用ＴＦＴ１２６にデータ信号を供給する信号線１２４との間に、信号線１２４と平行に形成されている。言い換えると、各Ｘ座標検出ライン３は、各画素電極１２５の当該画素電極１２５に接続された表示用ＴＦＴ１２６にデータ信号を供給する信号線１２４が形成されている側と反対側であり、当該画素電極１２５と隣接する位置に、信号線１２４と平行に形成されている。また、各Ｙ座標検出ライン４は、前記行方向に配列された各画素電極１２５と、当該画素電極１２５と隣り合う行の各画素電極１２５に接続された表示用ＴＦＴ１２６にゲート信号を供給する走査線１２３との間に、走査線１２３と平行に形成されている。言い換えると、各Ｙ座標検出ライン４は、各画素電極１２５の当該画素電極１２５に接続された表示用ＴＦＴ１２６にゲート信号を供給する走査線１２３が形成されている側と反対側であり、当該画素電極１２５に隣接する位置に、走査線１２３と平行に形成されている。
【００７２】
Ｘ座標検出ライン３には、Ｘ座標検出用接点電極５が接続されており、Ｙ座標検出ライン４には、Ｙ座標検出用接点電極６が接続されている。このＸ座標検出用接点電極５とＹ座標検出用接点電極６の配置パターンは、第１の実施形態と同様の配置パターンである。即ち、ＱＶＧＡポートレートの表示パネルであり、水平方向に２４０、垂直方向に３２０ある画素を、水平方向及び垂直方向にそれぞれ２分割して、４つの仮想区画に分けたときを考える。このとき、各Ｘ座標検出ライン３に接続されているＸ座標検出用接点電極５は、前記４つの仮想区画のうち何れか１つの仮想区画内に配置されたものに限られている。同様に、各Ｙ座標検出ライン４に接続されているＹ座標検出用接点電極６は、前記４つの仮想区画のうち何れか１つの仮想区画内に配置されたものに限られている。
【００７３】
また、Ｘ座標検出用接点電極５と対向電極１０７との間、及びＹ座標検出用接点電極６と対向電極１０７との間には間隙が設けられている。本表示装置の使用者により、前側基板１０１が観察側から押圧されて撓むと、対向電極１０７とその部分に存在するＸ座標検出用接点電極５とが導通する。その結果、対向電極１０７と導通したＸ座標検出用接点電極５、及びその接点電極に接続するＸ座標検出ライン３は、対向電極１０７と等電位になる。また、対向電極１０７とその部分に存在するＹ座標検出用接点電極６とが導通する。その結果、対向電極１０７と導通したＹ座標検出用接点電極６、及びその接点電極に接続するＹ座標検出ライン４は、対向電極１０７と等電位になる。
【００７４】
更に、後側基板１０２の観察側の面上であり、画面エリア１２０の領域外（図１４において画面エリア１２０の右側の領域）である領域には、複数のＸ座標検出用薄膜トランジスタ（Ｘ座標検出用ＴＦＴ）１０８、及び複数のＹ座標検出用薄膜トランジスタ（Ｙ座標検出用ＴＦＴ）１０９が形成されている。各Ｙ座標検出用ＴＦＴ１０９は、画面エリア１２０の領域外のうち、画面エリア１２０と隣接する部分に、Ｘ座標検出ライン３が伸展する方向と平行な方向に１列に並べて配置されている。各Ｙ座標検出用ＴＦＴ１０９が配置される間隔は、各Ｙ座標検出ライン４の間隔と同程度である。  
一方、前記各Ｘ座標検出用ＴＦＴ１０８は、前記各Ｙ座標検出用ＴＦＴ１０９の画面エリア１２０からみて更に外側となる位置に、前記各Ｙ座標検出用ＴＦＴ１０９とそれぞれ隣り合わせに、１列に並べて配置されている。
【００７５】
Ｘ座標検出用ＴＦＴ１０８は、Ｘ座標検出ライン３と同じ数存在する。各Ｘ座標検出用ＴＦＴ１０８のソース端子は、それぞれ別々のＸ座標検出ライン３に接続されている。ここで、Ｘ座標検出ライン３とＸ座標検出用ＴＦＴ１０８とは、前記画面エリア１２０の外側で引き回された延長ライン１１５により接続している。また、各Ｘ座標検出用ＴＦＴ１０８のゲート端子は、それぞれ別々の走査線１２３に、延長ライン１１０を介して接続している。各Ｘ座標検出用ＴＦＴ１０８のドレイン端子は、Ｘ座標検出用出力ライン１１１に接続されている。このＸ座標検出用出力ライン１１１は、外部回路接続端子１１３に接続されている。この外部回路接続端子１１３は、ドライバ搭載部１０２ａ（図１３参照）に設けられている。
【００７６】
一方、Ｙ座標検出用ＴＦＴ１０９は、Ｙ座標検出ライン４と同じ数存在する。各Ｙ座標検出用ＴＦＴ１０９のソース端子は、それぞれ別々のＹ座標検出ライン４に接続されている。また、各Ｙ座標検出用ＴＦＴ１０９のゲート端子は、それぞれ別々の走査線１２３に、延長ライン１１０を介して接続されている。各Ｙ座標検出用ＴＦＴ１０９のドレイン端子は、Ｙ座標検出用出力ライン１１２に接続されている。このＹ座標検出用出力ライン１１２は、Ｘ座標検出用出力ライン１１１と同様に、ドライバ搭載部１０２ａに設けられた外部回路接続端子１１４に接続されている。
【００７７】
尚、本液晶表示パネル１００は、前記液晶層の液晶分子を、後側基板１０２及び前側基板１０１の間において液晶分子をツイスト配向させたツイステッドネマティック（ＴＮ）型若しくはスーパーツイステッドネマティック（ＳＴＮ）型、液晶分子を後側基板１０２及び前側基板１０１の面に対して垂直に配向させた垂直配向型（Ｖｅｒｔｉｃａｌ  Ａｌｉｇｎｍｅｎｔ方式；ＶＡ方式）、横電界型のＩｎ−Ｐｌａｎｅ  Ｓｗｉｔｃｈｉｎｇ方式（ＩＰＳ方式）の液晶パネルを含む液晶分子の分子長軸を一方向に揃えて後側基板１０２に平行に配向させた水平配向型、液晶分子をベンド配向させるベンド配向型（Ｏｐｔｉｃａｌｌｙ  Ｃｏｍｐｅｎｓａｔｅｄ  Ｂｉｒｅｆｒｉｎｇｅｎｅｃｅ方式；ＯＣＢ方式）、又は強誘電性若しくは反強誘電性液晶表示パネル等、種々の液晶表示パネルのうち何れでも良い。また、ポリマーネットワーク型液晶表示パネルでも良い。
【００７８】
図１３に示す様に、ドライバ素子１３０の走査ドライバ１３１とデータドライバ１３２とは、前記した液晶表示パネル１００に接続される外部回路の表示用コントローラ１３４に接続されている。また、対向電極１０７に電圧を印加するコモン信号発生回路１３３は、表示用コントローラ１３４に接続されている。また、Ｘ座標検出用出力ライン１１１の外部回路接続端子１１３は、前記した座標検出用コントローラ１３６に接続し、同様にＹ座標検出用出力ライン１１２の外部回路接続端子１１４は、座標検出用コントローラ１３６に接続されている。座標検出用コントローラ１３６は、前記第１乃至第３の実施形態に係る図示しない座標検出用コントローラと同様のものである。これら表示用コントローラ１３４と座標検出用コントローラ１３６とは、それぞれ、それらを制御するメインコントローラ１３８と接続している。
【００７９】
この様に、例えば画素電極１２５は、画素電極として機能し、例えば対向電極１０７は、対向電極として機能し、例えばＸ座標検出用接点電極５は、第１の接点電極として機能し、例えばＹ座標検出用接点電極６は、第２の接点電極として機能し、例えばＸ座標検出ライン３は、第１の検出ラインとして機能し、例えばＹ座標検出ライン４は、第２の検出ラインとして機能し、例えばＸ座標検出用ＴＦＴ１０８は、第１の座標検出用薄膜トランジスタとして機能し、例えばＹ座標検出用ＴＦＴ１０９は、第２の座標検出用薄膜トランジスタとして機能し、例えばＸ座標検出用出力ライン１１１は、第１の出力ラインとして機能し、例えばＹ座標検出用出力ライン１１２は、第２の出力ラインとして機能し、例えば座標検出用コントローラ１３６は、押圧領域座標検出回路として機能する。
【００８０】
次に、本実施形態に係る液晶表示装置の動作を説明する。液晶表示パネル１００において、コモン信号発生回路１３３から出力されたコモン信号（Ｖｃｏｍ信号）は、対向電極１０７に印加される。表示用コントローラ１３４の走査ドライバ１３１は、各走査線１２３を順次選択し、選択した走査線１２３に、表示用ＴＦＴ１２６をＯＮさせるゲート信号を、選択期間印加する。また、表示用コントローラ１３４のデータドライバ１３２は、各信号線１２４に、前記Ｖｃｏｍ信号に対して画像データに対応した電位差をもつデータ信号を、走査線１２３の選択期間印加する。液晶表示パネル１００は、上記の通り表示駆動される。尚、本実施形態では、液晶表示パネル１００の表示駆動方式に、各走査線１２３の選択期間毎に、対向電極１０７に印加するＶｃｏｍ信号の電圧を、ハイレベル（以下、Ｈレベルという）とローレベル（以下、Ｌレベルという）とに反転させるライン反転方式を用いている。
【００８１】
次に、液晶表示パネル１００のタッチパネルとしての動作を説明する。ここで、図１４からタッチパネル機能に関する構成を抜粋した回路構成の概略を、図１５に示す。各走査線１２３、各Ｘ座標検出用ＴＦＴ１０８、各Ｙ座標検出用ＴＦＴ１０９、各Ｘ座標検出ライン３、及び各Ｙ座標検出ライン４に以下の名称をつける。即ち、図１５における上端側から、１行目の画素電極１２５に接続する表示用ＴＦＴ１２６のゲート端子に接続する走査線１２３をゲートＧ１とし、２行目のそれをゲートＧ２とし、以下同様にして、下端である３２０行目のそれをゲートＧ３２０とする。そして、ゲートＧ１にそのゲート端子を接続しているＸ座標検出用ＴＦＴ１０８をＸ−ＴＦＴ１とし、ゲートＧ２にそのゲート端子を接続しているＸ座標検出用ＴＦＴ１０８をＸ−ＴＦＴ２とし、以下同様にして、ゲートＧ２４０にそのゲート端子を接続しているＸ座標検出用ＴＦＴ１０８をＸ−ＴＦＴ２４０とする。また同様に、ゲートＧ１にそのゲート端子を接続しているＹ座標検出用ＴＦＴ１０９をＹ−ＴＦＴ１とし、ゲートＧ２にそのゲート端子を接続しているＹ座標検出用ＴＦＴ１０９をＹ−ＴＦＴ２とし、以下同様にして、ゲートＧ３２０にそのゲート端子を接続しているＹ座標検出用ＴＦＴ１０９をＹ−ＴＦＴ３２０とする。
【００８２】
また、Ｘ−ＴＦＴ１で表されるＸ座標検出用ＴＦＴ１０８のソース端子に接続しているＸ座標検出ライン３をＸ１とし、Ｘ−ＴＦＴ２で表されるＸ座標検出用ＴＦＴ１０８のソース端子に接続しているＸ座標検出ライン３をＸ２とし、以下同様にして、Ｘ−ＴＦＴ２４０で表されるＸ座標検出用ＴＦＴ１０８のソース端子に接続しているＸ座標検出ライン３をＸ２４０とする。また同様に、Ｙ−ＴＦＴ１で表されるＹ座標検出用ＴＦＴ１０９のソース端子に接続しているＹ座標検出ライン４をＹ１とし、Ｙ−ＴＦＴ２で表されるＹ座標検出用ＴＦＴ１０９のソース端子に接続しているＹ座標検出ライン４をＹ２とし、以下同様にして、Ｙ−ＴＦＴ３２０で表されるＹ座標検出用ＴＦＴ１０９のソース端子に接続しているＹ座標検出ライン４をＹ３２０とする。
【００８３】
前記タッチ入力が行われると、前側基板１０１のタッチされた部分（以下、タッチ部と称する）が後側基板１０２側に撓み変形する。その結果、後側基板１０２に形成されたＸ座標検出用接点電極５のうち、前記タッチ部に形成されたＸ座標検出用接点電極５が、前側基板１０１に形成された対向電極１０７と導通する。同様に、前記タッチ部の後側基板１０２に形成されたＹ座標検出用接点電極６のうち、前記タッチ部に形成されたＹ座標検出用接点電極６が、対向電極１０７と導通する。
【００８４】
従って、タッチ部で対向電極１０７と導通したＸ座標検出用接点電極５と、この接点電極と接続しているＸ座標検出ライン３は、対向電極１０７に印加されたＶｃｏｍ信号の電位と同レベルになる。同様に、タッチ部で対向電極１０７と導通したＹ座標検出用接点電極６と、この接点電極と接続しているＹ座標検出ライン４の電位は、対向電極１０７に印加されたＶｃｏｍ信号の電位と同レベルになる。
【００８５】
前記の通り、各Ｘ座標検出ライン３は、Ｘ座標検出用ＴＦＴ１０８のソース端子に接続しており、Ｙ座標検出ライン４は、Ｙ座標検出用ＴＦＴ１０９のソース端子に接続している。また、各Ｘ座標検出用ＴＦＴ１０８のゲート端子は、それぞれ別々の走査線１２３に接続しており、各Ｙ座標検出用ＴＦＴ１０９のゲート端子は、それぞれ別々の走査線１２３に接続している。
【００８６】
従って、画像表示のため、ゲートＧ１からゲートＧ３２０までの各走査線１２３に順次ゲート信号が印加されると、Ｘ−ＴＦＴ１からＸ−ＴＦＴ２４０までの各Ｘ座標検出用ＴＦＴ１０８は、順次ＯＮ状態になる。このとき、各Ｘ座標検出用ＴＦＴ１０８のドレイン端子に接続しているＸ座標検出用出力ライン１１１の電位は、前記ＯＮ状態になっているＸ座標検出用ＴＦＴ１０８のソース端子に接続されているＸ座標検出ライン３の電位になる。ここで、タッチ部に対応するＸ座標検出用接点電極５が接続しているＸ座標検出ライン３の電位は、対向電極１０７の電位になっている。
【００８７】
これらと同様に、ゲートＧ１からゲートＧ３２０までの各走査線１２３に順次ゲート信号が印加されると、Ｙ−ＴＦＴ１からＹ−ＴＦＴ３２０までの各Ｙ座標検出用ＴＦＴ１０９は、順次ＯＮ状態になる。そして、各Ｙ座標検出用ＴＦＴ１０９のドレイン端子に接続しているＹ座標検出用出力ライン１１２の電位は、前記ＯＮ状態になっているＹ座標検出用ＴＦＴ１０９のソース端子に接続されているＹ座標検出ライン４の電位になる。ここで、タッチ部に対応するＹ座標検出用接点電極６が接続しているＹ座標検出ライン４の電位は、対向電極１０７の電位になっている。
【００８８】
即ち、ゲートＧ１、ゲートＧ２、・・・、ゲートＧ２４０と順にゲート電圧が印加されると、Ｘ−ＴＦＴ１、Ｘ−ＴＦＴ２、・・・、Ｘ−ＴＦＴ２４０と順にＸ座標検出用ＴＦＴ１０８がＯＮ状態になる。その結果、Ｘ座標検出用出力ライン１１１の電位は、順次Ｘ座標検出ラインＸ１の電位、Ｘ座標検出ラインＸ２の電位、・・・、Ｘ座標検出ラインＸ２４０の電位になる。同様に、ゲートＧ１、ゲートＧ２、・・・、ゲートＧ３２０と順にゲート電圧が印加されると、Ｙ−ＴＦＴ１、Ｙ−ＴＦＴ１、・・・、Ｙ−ＴＦＴ３２０と順にＹ座標検出用ＴＦＴ１０９がＯＮ状態となる。その結果、Ｙ座標検出用出力ライン１１２の電位は、順次Ｙ座標検出ラインＹ１の電位、Ｙ座標検出ラインＹ２の電位、・・・、Ｙ座標検出ラインＹ３２０の電位になる。従って、この液晶表示パネル１００は、各Ｘ座標検出ライン３の電位に対応したＸ座標のパラレルデータを、Ｘ座標のシリアルデータに変換して、Ｘ座標検出用出力ライン１１１から出力する。また同様に、各Ｙ座標検出ライン４の電位に対応したＹ座標のパラレルデータを、Ｙ座標のシリアルデータに変換して、Ｙ座標検出用出力ライン１１２から出力する。
【００８９】
当該タッチパネルの動作を図１６を参照して説明する。図１６（ａ）に、当該タッチパネルのタッチされている位置を表す模式図を示す。また、図１６（ｂ）に、対向電極１０７に印加するＶｃｏｍ信号の電位、Ｘ座標検出用出力ライン１１１から出力されるＸ−ｄａｔａ信号の電位、及びＹ座標検出用出力ライン１１２から出力されるＹ−ｄａｔａ信号の電位の模式図を示す。図１６（ａ）においてタッチされた位置は、図３等と同様に破線の四角で示されている。
【００９０】
図１６（ｂ）に示す様に、Ｖｃｏｍ信号は、繰り返しＨレベルとＬレベルと変化している。ここで、Ｖｃｏｍ信号を表す波形の上に付した番号１，２，３，・・・は、それぞれ、Ｘ−ＴＦＴ１で表されるＸ座標検出用ＴＦＴ１０８とＹ−ＴＦＴ１で表されるＹ座標検出用ＴＦＴ１０９とがＯＮになっている期間，Ｘ−ＴＦＴ２で表されるＸ座標検出用ＴＦＴ１０８とＹ−ＴＦＴ２で表されるＹ座標検出用ＴＦＴ１０９とがＯＮになっている期間，Ｘ−ＴＦＴ３で表されるＸ座標検出用ＴＦＴ１０８とＹ−ＴＦＴ３で表されるＹ座標検出用ＴＦＴ１０９とがＯＮになっている期間，・・・であることを示す。
【００９１】
この例では、図１６（ａ）に示す通りＸ座標検出ラインＸ３とＸ座標検出ラインＸ２３８についてタッチされている点がある。このため、Ｘ−ｄａｔａ信号は、Ｘ−ＴＦＴ３で表されるＸ座標検出用ＴＦＴ１０８がＯＮになっている期間について、Ｖｃｏｍ信号と同様に、第１フレームでは基準電位に対してＬレベルとなり、第２フレームでは基準電位に対してＨレベルとなる。また、Ｘ−ｄａｔａ信号は、Ｘ−ＴＦＴ２３８で表されるＸ座標検出用ＴＦＴ１０８がＯＮになっている期間について、Ｖｃｏｍ信号と同様に、第１フレームでは基準電位に対してＨレベルとなり，第２フレームでは基準電位に対してＬレベルとなる。
【００９２】
また、Ｙ座標検出ラインＹ３とＹ座標検出ラインＹ３１８についてタッチされている点がある。従って、Ｙ−ｄａｔａ信号は、Ｙ−ＴＦＴ３で表されるＹ座標検出用ＴＦＴ１０９がＯＮになっている期間について、Ｖｃｏｍ信号と同様に、第１フレームでは基準電位に対してＬレベルとなり、第２フレームでは基準電位に対してＨレベルとなる。また、Ｙ−ｄａｔａ信号は、Ｙ−ＴＦＴ３１８で表されるＹ座標検出用ＴＦＴ１０９がＯＮになっている期間について、Ｖ−ｃｏｍ信号と同様に、第１フレームでは基準電位に対してＨレベルとなり、第２フレームでは基準電位に対してＬレベルとなる。
【００９３】
座標検出用コントローラ１３６は、これらＸ−ｄａｔａ信号とＹ−ｄａｔａ信号に基づいて、座標（ｘ３，ｙ３）と座標（ｘ２３８、ｙ３１８）とがタッチされたと検出する。
【００９４】
ここに説明した例は、Ｖｃｏｍ信号が反転するライン反転方式の駆動によるものであるが、Ｖｃｏｍが反転しないドット反転駆動方式その他の駆動方式を用いても勿論良い。
【００９５】
以上の通り、本実施形態に依れば、タッチパネル機能を有する液晶表示装置において、Ｘ軸方向及びＹ軸方向に対して斜め方向に離れて位置する２つの群を成す箇所が同時にタッチされた場合も、タッチされた位置を正しく検出することができる。
【００９６】
尚、前記の例では、ＱＶＧＡサイズのパネルをＸ軸方向及びＹ軸方向にそれぞれ２つ、即ち４つの仮想区画に区切って、Ｘ座標検出ライン３に接続されたＸ座標検出用接点電極５と、Ｙ座標検出ライン４に接続されたＹ座標検出用接点電極６との配置を決定している。この場合、各仮想区画に、１２０本のＸ座標検出ライン３、及び１６０本のＹ座標検出ライン４を設けることができる。従って、各仮想区画に、Ｘ座標検出用接点電極５とＹ座標検出用接点電極６をそれぞれ、Ｘ軸方向に６０個、Ｙ軸方向に８０個、合計４８００個設けることができる。当該液晶表示装置全体では、Ｘ軸方向に１２０個、Ｙ軸方向に１６０個、合計１９２００個のＸ座標検出用接点電極５とＹ座標検出用接点電極６を設けることができる。その結果、十分な位置検出の分解能が得られる。
【００９７】
また、第１の実施形態と同様に、ＱＶＧＡサイズのパネルをＸ軸方向及びＹ軸方向にそれぞれ２つに分割した４つの仮想区画に区切るのではなく、第２の実施形態と同様に、ＱＶＧＡサイズのパネルをＸ軸方向に３つ、及びＹ軸方向に４つにそれぞれ分割し、合計１２区画の仮想区画に区切っても良い。この場合でも、各仮想区画に、Ｘ座標検出ライン３を８０本、Ｙ座標検出ライン４を８０本、それぞれ設けることができる。従って、各仮想区画に、Ｘ座標検出用接点電極５とＹ座標検出用接点電極６をそれぞれ、Ｘ軸方向に２０個、Ｙ軸方向に２６又は２７個、合計５２０又は５４０個設けることができる。当該液晶表示装置全体では、Ｘ軸方向に６０個、Ｙ軸方向に１０６個、合計６３６０個のＸ座標検出用接点電極５とＹ座標検出用接点電極６を設けることができる。その結果、十分な位置検出の分解能が得られる。
【００９８】
また、４区画又は１２区画以外の仮想区画数に区切っても良いことは勿論である。更に、第１の実施形態及び第２の実施形態の変形例と同様に、Ｘ座標検出用接点電極５とＹ座標検出用接点電極６の数を増やすこともできる。但し、何れの場合も、各Ｘ座標検出ライン３は、１つの仮想区画内に配置されたＸ座標検出用接点電極５と接続し、各Ｙ座標検出ライン４は、１つの仮想区画内に配置されたＹ座標検出用接点電極６と接続する。
【００９９】
また、第３の実施形態と同様に、１箇所（１つの群を成す箇所）のタッチを検出するシングルタッチモードと、複数箇所（複数の群を成す箇所）のタッチを検出するマルチタッチモードとを切替える構成を、液晶表示パネル内に形成しても良い。この場合、更に第３の実施形態と同様の効果が得られる。
【０１００】
また、以上の説明では、ＱＶＧＡポートレートを例に挙げて説明したが、ＱＶＧＡポートレートに限らず、横置きの通常のＱＶＧＡや、例えば、ＶＧＡ（６４０画素×４８０画素）、ＳＶＧＡ（８００画素×６００画素）、ＸＧＡ（１０２４画素×７６８画素）、ＳＸＧＡ（１２８０画素×１０２４画素）や、それらの縦置き型等、種々の画素数を有する表示パネルを用いても良い。他の画素数を有する表示パネルを用いた場合、画素数に合わせて、上記説明の構成要素の数が多くなったり少なくなったりすることは勿論である。
【０１０１】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。さらに、異なる実施形態にわたる構成要素を適宜組み合わせても良い。
【符号の説明】
【０１０２】
１…前側基板、２…後側基板、３…Ｘ座標検出ライン、４…Ｙ座標検出ライン、５…Ｘ座標検出用接点電極、５１…第１のＸ座標検出用接点電極、５２…第２のＸ座標検出用接点電極、６…Ｙ座標検出用接点電極、６１…第１のＹ座標検出用接点電極、６２…第２のＹ座標検出用接点電極、７…対向電極、８…モード切替ＴＦＴ、９…モード切替ライン、１００…液晶表示パネル、１０１…前側基板、１０２…後側基板、１０２ａ…ドライバ搭載部、１０７…対向電極、１０８…Ｘ座標検出用ＴＦＴ、１０９…Ｙ座標検出用ＴＦＴ、１１０…延長ライン、１１１…Ｘ座標検出用出力ライン、１１２…Ｙ座標検出用出力ライン、１１３…外部回路接続端子、１１４…外部回路接続端子、１１５…延長ライン、１２０…画面エリア、１２３…走査線、１２４…信号線、１２５…画素電極、１２６…表示用ＴＦＴ、１３０…ドライバ素子、１３１…走査ドライバ、１３２…データドライバ、１３３…コモン信号発生回路、１３４…表示用コントローラ、１３６…座標検出用コントローラ、１３８…メインコントローラ。
【図１】
0005499940.tif 000002
【図２】
0005499940.tif 000003
【図３】
0005499940.tif 000004
【図４】
0005499940.tif 000005
【図５】
0005499940.tif 000006
【図６】
0005499940.tif 000007
【図７】
0005499940.tif 000008
【図８】
0005499940.tif 000009
【図９】
0005499940.tif 000010
【図１０】
0005499940.tif 000011
【図１１】
0005499940.tif 000012
【図１２】
0005499940.tif 000013
【図１３】
0005499940.tif 000014
【図１４】
0005499940.tif 000015
【図１５】
0005499940.tif 000016
【図１６】
0005499940.tif 000017